(57)【特許請求の範囲】
【請求項１】
少なくとも熱交換器及び送風ファンを備えた本体と、
前記本体の前側に設けられ、開口部が形成された前面パネルと、
前記前面パネルの開口部を介して空調対象空間を撮像可能に前記本体に設けられたカメラユニットと、
前記本体に設けられ、前記カメラユニットが取り付けられるカメラユニットホルダーと、
前記カメラユニットホルダーより前面側であって前記本体に設けられる内部正面パネルと、
前記カメラユニットの背面と前記カメラユニットホルダーの前面との間に設けられる弾性部材と、
を備え、
前記カメラユニットは、
カメラレンズ及び撮像素子を備えたカメラ基板と、
先端側に開口部が形成され、当該開口部の後方に前記カメラレンズが設けられるように前記カメラ基板が取り付けられるカメラホルダーと、
前記カメラ基板を収容し、前記弾性部材によって背面が押されて前記カメラホルダーに密着するように押しつけられるカメラホルダー蓋と、
前記カメラホルダーの開口部に設けられた複数の透光板と、
を備え、
前記カメラホルダーは、
前記カメラホルダー蓋に押されて前記内部正面パネルに押しつけられ、
前記複数の透光板は、
所定の間隔を空けて設けられ、前記カメラホルダーの開口部を閉塞する
ことを特徴とする空気調和装置の室内機。
【請求項２】
前記カメラ基板は、
前記カメラレンズの縁を保持する鏡筒を備え、
前記カメラホルダーは、
当該カメラホルダーの開口部の内側に突出して形成された環状部を有し、
前記複数の透光板のうちの一部は、
前記環状部と前記鏡筒の先端とに挟まれることで固定される
ことを特徴とする請求項１に記載の空気調和装置の室内機。
【請求項３】
前記環状部と前記鏡筒の先端とに挟まれる前記透光板は、
前記カメラレンズと対向する部分以外の色を、前記前面パネルと同色とした
ことを特徴とする請求項２に記載の空気調和装置の室内機。
【請求項４】
前記環状部と前記鏡筒の先端とに挟まれる前記透光板は、
前記カメラレンズと対向する部分以外の色を、黒色とした
ことを特徴とする請求項２に記載の空気調和装置の室内機。
【請求項５】
少なくとも圧縮機及び前記熱交換器とは異なる熱交換器が設けられた室外機と、
請求項１〜４のいずれか一項に記載の室内機とを備えた
ことを特徴とする空気調和装置。
【発明の詳細な説明】
【技術分野】
【０００１】
本発明は、カメラユニットを備えた空気調和装置の室内機及びそれを備えた空気調和装置に関するものである。
【背景技術】
【０００２】
従来の空気調和装置の室内機には、室内の熱を検知して室内の在室人数などを判定するための赤外線センサーが設置されたものが各種提案されている。（たとえば、特許文献１参照）。この赤外線センサーの他に、ユーザーや室内の明暗を検知する可視光カメラを備えたカメラユニットを室内機に設置した空気調和装置も提案されている。
【先行技術文献】
【特許文献】
【０００３】
【特許文献１】特開２０１０−２７３７８号公報（たとえば、図１参照）
【発明の概要】
【発明が解決しようとする課題】
【０００４】
特許文献１に記載の技術は、赤外線の検出手段を、前面意匠パネルに形成された開口部を介して室内に露出するように設置することで、意匠性を損ねてしまうことを抑制するようにしたものである。
この特許文献１に記載の技術を可視光カメラを備えたカメラユニットに採用すると、レンズに塵や埃などが付着し、画像精度が低減してしまう可能性があった。
【０００５】
本発明は、以上のような課題を解決するためになされたもので、カメラレンズに塵や埃などが付着することを抑制する空気調和装置の室内機を提供することを目的としている。
【課題を解決するための手段】
【０００６】
本発明に係る空気調和装置の室内機は、少なくとも熱交換器及び送風ファンを備えた本体と、本体の前側に設けられ、開口部が形成された前面パネルと、前面パネルの開口部を介して空調対象空間を撮像可能に本体に設けられたカメラユニットと、本体に設けられ、カメラユニットが取り付けられるカメラユニットホルダーと、カメラユニットホルダーより前面側であって本体に設けられる内部正面パネルと、カメラユニットの背面とカメラユニットホルダーの前面との間に設けられる弾性部材と、を備え、カメラユニットは、カメラレンズ及び撮像素子を備えたカメラ基板と、先端側に開口部が形成され、当該開口部の後方にカメラレンズが設けられるようにカメラ基板が取り付けられるカメラホルダーと、カメラ基板を収容し、弾性部材によって背面が押されてカメラホルダーに密着するように押しつけられるカメラホルダー蓋と、カメラホルダーの開口部に設けられた複数の透光板と、を備え、カメラホルダーは、カメラホルダー蓋に押されて内部正面パネルに押しつけられ、複数の透光板は、所定の間隔を空けて設けられ、カメラホルダーの開口部を閉塞するものである。
【発明の効果】
【０００７】
本発明に係る空気調和装置の室内機によれば、複数の透光板が、所定の間隔を空けて対向するように設けられ、カメラホルダー開口部を閉塞しているので、カメラレンズに塵や埃などが付着することを抑制することができる。
【図面の簡単な説明】
【０００８】
【図１】本発明の実施の形態に係る空気調和装置の室内機の正面図である。
【図２】図１に図示される室内機の斜視図である。
【図３】図２に図示される前面意匠パネルユニットを解放した状態における室内機の斜視図である。
【図４】図１に図示される室内機の点線Ａ−Ａにおける断面図である。
【図５】図４に図示される内部正面パネルを取り外した状態におけるカメラユニットの正面図である。
【図６】本発明の実施の形態に係るカメラユニットの斜視図である。
【図７】図６に図示されるカメラユニットの構成を説明する図である。
【図８】図６に図示されるカメラユニットの点線Ｂ−Ｂにおける断面図である。
【図９】実施の形態に係るカメラユニットのカメラ基板の斜視図である。
【図１０】図６に図示されるカメラユニットの組み立て方について説明する図である。
【図１１】図４に図示される領域Ｃの拡大図である。
【発明を実施するための形態】
【０００９】
以下、本発明の実施の形態を図面に基づいて説明する。
実施の形態．
以下、図１〜図５に基づいて、室内機１００の構成について説明する。
室内機１００は、空気調和装置の構成要素として空調対象空間（たとえば、室内、ビルの部屋、倉庫など）の壁に設置されるものである。以下の説明においては、空調対象空間が室内であるものとして説明する。また、室内機１００は、冷媒を循環させる冷凍サイクルを利用することで室内に空調空気（冷房用空気、暖房用空気など）を供給することができる。
なお、図１を含め、以下の図面では各構成部材の大きさの関係が実際のものとは異なる場合がある。また、以下の図面における左右は、紙面から見た左右と対応している。さらに、以下の図面における室内機１００は壁掛け型を例に図示しているが、それに限定されるものではなく、たとえば天井埋込型などであってもよい。
【００１０】
［室内機１００の構成］
室内機１００は、室内機１００の左右側面、上下面、背面、及び前面下部を構成する本体３と、室内機１００の前面上部を構成し、本体３の前面を覆う前面意匠パネルユニット２と、室内機１００内に空気を取り込み室内機１００外に吹き出す送風ファン４と、冷媒の温熱又は冷熱を空気に伝達して空調空気を生成する熱交換器５と、ユーザーや室内の熱を検知する赤外線センサー２３と、ユーザーや室内の明暗を検知するカメラユニット１とを有している。
【００１１】
（本体３の構成）
本体３は、各種機器が搭載されるものである。本体３の内部には、送風ファン４及び熱交換器５が収容されている。そして、本体３の上部には室内空気を室内機１００内に吸い込むための吸込口２０が形成され、本体３の下部には空調空気を室内に供給するための吹出口２１が形成され、本体３内には本体３内であって吸込口２０から吹出口２１までを連通する風路２５が形成されている。
【００１２】
吸込口２０は、送風ファン４の作用によって強制的に室内空気を室内機１００内部に取り込む開口である。吸込口２０は本体３の上部に開口形成されている。
吹出口２１は、吸込口２０から吸い込まれ、熱交換器５を通過した空気を室内に供給する際に、当該空気が通過する開口である。吹出口２１は本体３の前面下部に開口形成されている。
【００１３】
また、本体３は、吹出口２１から吹き出される空調空気の方向を調整するフラップ２２と、熱交換器５などに付着した結露水を貯留するドレンパンユニット２８と、送風ファン４のモーターなどをｏｎ、ｏｆｆするためのマグネットスイッチなどが設けられる電気品箱（図示省略）と、室内の設定温度などを表示する表示装置ユニット２４と、吸込口２０から室内機１００に吸い込まれる空気から塵や埃などを取り除くフィルターを備え、そのフィルターの清掃を自動で実施するフィルター自動清掃ユニット２９とを有している。
【００１４】
フラップ２２は、吹出口２１に回転自在に設けられ、吹出口２１から吹き出される空調空気の風向の上下を変更するものである。つまり、フラップ２２は、空調時において所定の回転角度を保ったり、回転角度を変化させたりしながら吹き出される空調空気の上下方向を調整するものである。
ドレンパンユニット２８は、熱交換器５などに付着した結露水を貯留するものである。このドレンパンユニット２８は、熱交換器５の下方に設置される。また、ドレンパンユニット２８は、表示装置ユニット２４が取り付けられる。
電気品箱（図示省略）は、送風ファン４のモーターなどをｏｎ、ｏｆｆするためのマグネットスイッチなどが設けられるものである。
【００１５】
表示装置ユニット２４は、室内の設定温度などを表示するものである。表示装置ユニット２４は、ドレンパンユニット２８及びフィルター自動清掃ユニット２９に固定されて取り付けられている。なお、図示は省略しているが、表示装置ユニット２４に出力された表示は前面意匠パネルユニット２の裏面（背面側）に映し出され、該映し出された表示は前面意匠パネルユニット２を透過して、前面意匠パネルユニット２の前面に表示される。すなわち、表示装置ユニット２４は前面意匠パネルユニット２に覆われているが、表示装置ユニット２４の表示内容については室内機１００の外部から視認することができるようになっている。
【００１６】
フィルター自動清掃ユニット２９は、吸込口２０から室内機１００に吸い込まれる空気から塵や埃などを取り除くフィルターの清掃を自動で実施するものである。このフィルター自動清掃ユニット２９は、本体３にツメ固定（図示省略）されるとともに、熱交換器５にネジ固定される。フィルター自動清掃ユニット２９は、熱交換器５の前方上部に配置される。また、フィルター自動清掃ユニット２９には、表示装置ユニット２４が取り付けられる。なお、フィルター自動清掃ユニット２９は、取り除いた塵や埃を捨てるダストボックスを備えている。
【００１７】
さらに、本体３には、前面側に配置される内部正面パネル６と、内部正面パネル６の内側（背面側）に設けられ、表示装置ユニット２４などが取り付けられる表示部ホルダー７とが設けられている。
【００１８】
内部正面パネル６は、前面意匠パネルユニット２を開放した状態における室内機１００の前面を構成するものである。すなわち、内部正面パネル６は、表示装置ユニット２４を保持する表示部ホルダー７の前面側に取り付けられている（図５参照）。さらに、内部正面パネル６は、カメラユニット１を保持するものである。この内部正面パネル６がカメラユニット１を保持する方法については、後述する。
表示部ホルダー７（カメラユニットホルダー）は、赤外線センサー２３、及びカメラユニット１が取り付けられるものである。この表示部ホルダー７は、内部正面パネル６の背面側に設けられる。また、表示部ホルダー７には、カメラユニット１に挿入される凸部７ａ（図１１参照）が形成されている。この凸部７ａは、表示部ホルダー７の背面から前面に向かう方向に凸設している。
【００１９】
なお、図１、図２、及び図４では、フラップ２２によって吹出口２１が閉塞されている状態が図示されている。また、図３では表示装置ユニット２４が設けられ、図４ではフィルター自動清掃ユニット２９が設けられた例が図示されているが、これらは室内機１００に設けられていなくともよい。
【００２０】
（前面意匠パネルユニット２の構成）
前面意匠パネルユニット２（前面パネル）は、本体３の前面を覆うパネルである。この前面意匠パネルユニット２の前面は、前面意匠パネルユニット２の前面上部を構成する上部意匠パネル２ａ、及び前面意匠パネルユニット２の前面下部を構成する下部意匠パネル２ｂによって構成されている。また、前面意匠パネルユニット２の背面は、正面パネル２ｃによって構成されている。すなわち、上部意匠パネル２ａ及び下部意匠パネル２ｂの背面には、正面パネル２ｃが設けられている。
【００２１】
前面意匠パネルユニット２は、本体３に対して開閉可能、又は着脱可能に取り付けられているものである。また、前面意匠パネルユニット２の下方には、空調空気を室内に供給する吹出口２１が開口形成されている。
ここで、図３に図示されるように、下部意匠パネル２ｂの中央部には、赤外線センサー２３を空調対象空間に露出させる第１開口部２６が形成されている。また、下部意匠パネル２ｂであって第１開口部２６の形成位置の右側には、カメラユニット１が空調対象空間を撮像できるようにする第２開口部２７（前面パネルの開口部）が形成されている。
また、前面意匠パネルユニット２は、前面意匠パネルユニット２の裏面に映し出された表示を透過することができるように、透光性材料によって構成するとよい。
【００２２】
（送風ファン４の構成）
送風ファン４は、吸込口２０から室内空気を吸い込み、吹出口２１から空調空気を吹き出すものである。送風ファン４は、吸込口２０から吹出口２１までの風路２５であって、熱交換器５の下流側に配設されている。なお、送風ファン４は、たとえばクロスフローファンを採用するとよい。
【００２３】
（熱交換器５の構成）
熱交換器５は、冷房運転時において、蒸発器として機能して空気を冷却し、暖房運転時において、凝縮器（放熱器）として機能して空気を加温するものである。この熱交換器５は、吸込口２０から吹出口２１までの風路２５であって、送風ファン４の上流側に配設されている。また、熱交換器５の形状は、送風ファン４の前面及び上面を取り囲むような形状をしているが、それに限定されるものではない。この熱交換器５には、フィルター自動清掃ユニット２９がネジ固定されている。なお、熱交換器５は、たとえば冷媒配管を流れる冷媒とフィンを通過する空気との間で熱交換ができるようなプレートフィンアンドチューブ型熱交換器で構成するとよい。
なお、空気調和装置は、図示省略の圧縮機、及び熱交換器５とは異なる室外熱交換器と、絞り装置と、熱交換器５とを有し、これらが冷媒配管を介して接続されて冷凍サイクルを構成する。なお、圧縮機及び室外熱交換器は、室外機に設けられる。また、絞り装置については、室外機に設けられていてもよいし、室内機１００に設けられていてもよい。
【００２４】
（赤外線センサー２３の構成）
赤外線センサー２３は、ユーザーや室内の熱を検知するものである。この赤外線センサー２３の検知結果は図示省略の制御装置に出力され、制御装置が人の在、不在などの判断する際に利用される。赤外線センサー２３は、室内機１００の前面側の中央に設置され、下部意匠パネル２ｂの第１開口部２６を介して室内に直接臨んでいる。なお、赤外線センサー２３の設置位置は、室内機１００の前面側の中央に限定されるものではなく、たとえば室内機１００の前面側の中央より右側、又は左側であってもよい。そして、この場合には、第１開口部２６が、赤外線センサー２３に対応する位置に形成されていればよい。また、赤外線センサー２３は、赤外線センサー２３を左右方向に回転させて検知範囲を広げる回転機構（図示省略）を有している。
【００２５】
（カメラユニット１の構成）
カメラユニット１は、ユーザーや室内の明暗を可視光から検知するものである。このカメラユニット１の検知結果は図示省略の制御装置に出力され、制御装置がユーザーの認識をしたり、室内の明暗となる箇所などを判断する際に利用される。カメラユニット１は、室内機１００の前面側であって赤外線センサー２３の右側に配置され、下部意匠パネル２ｂの第２開口部２７を介して室内に直接臨んでいる。なお、カメラユニット１の設置位置は、それに限定されるものではなく、たとえば室内機１００の前面側であって赤外線センサー２３の左側であってもよい。そして、この場合には、第２開口部２７が、カメラユニット１に対応する位置に形成されていればよい。
【００２６】
［カメラユニット１の詳細な構成］
次に、図６〜図８を参照してカメラユニット１の構成について説明する。
カメラユニット１は、左右側面、上下面、及び前面を構成するカメラホルダー８と、カメラレンズ１１が設けられたカメラ基板１２と、カメラレンズ１１を保護する第１透光板９及び第２透光板１０と、カメラユニット１の背面を構成するカメラホルダー蓋１３とを有している。また、カメラホルダー蓋１３の背面側には、弾性部材１４が設けられている。
【００２７】
カメラホルダー８は、カメラユニット１の前側の外郭を構成するものである。このカメラホルダー８は、カメラホルダー蓋１３と係合するための固定ツメ８ｃ（図７参照）を有している。また、カメラホルダー８の背面と、カメラ基板１２の前面の縁とは、カメラホルダー蓋１３と係合した状態において、押し付け合うように接触する。さらに、詳しくは後述するが、カメラホルダー８は、内部正面パネル６によって、所定位置より前側に行かないように（前側に移動しないように）動きが規制されている。
【００２８】
また、カメラホルダー８には、カメラホルダー８の前面よりも前方に凸設する凸設部８ａが形成されている。この凸設部８ａは、第２開口部２７を介して室内に直接臨む部分である。また、この凸設部８ａには、カメラレンズ１１に室内の可視光を入射させるカメラホルダー開口部８ｂ（カメラホルダーの開口部）が形成されている。このカメラホルダー開口部８ｂの前面側には、第１透光板９が設けられている。また、カメラホルダー開口部８ｂの背面側には、第２透光板１０が設けられている。
さらに、この凸設部８ａには、前面側に第１透光板９が設けられ、背面側に第２透光板１０が設けられる。つまり、第１透光板９と第２透光板１０とは、凸設部８ａに所定の間隔を空けて設けられ、カメラホルダー開口部８ｂを閉塞している。そして、第２透光板１０が設けられる部分には、環状部８ｄが形成されている。すなわち、環状部８ｄは、カメラホルダー開口部８ｂの内側に突出してカメラホルダー開口部８ｂの周縁を構成するように形成されたものである。この環状部８ｄの後方には、カメラレンズ１１が設けられる。
【００２９】
なお、環状部８ｄは、カメラホルダー開口部８ｂの形状に応じた形状（ここでは四角形）を一例として図示しているが、それに限定されるものではない。すなわち、環状部８ｄは、たとえば円形や楕円、それらの一部の接続が切れた形状であってもよい。
なお、環状部８ｄ、第１透光板９及び第２透光板１０によって形成される空間は、完全に密閉されておらず、たとえば気圧の変化などにより第１透光板９及び第２透光板１０が歪んでしまうことを抑制することができる。
【００３０】
カメラホルダー８は、カメラホルダー蓋１３と係合した状態において、第２透光板１０及びカメラ基板１２を収納する空間を形成する。なお、以下の説明においては、この第２透光板１０及びカメラ基板１２を収納する空間を、カメラユニット１内部と称する。
【００３１】
カメラ基板１２は、カメラレンズ１１、カメラレンズ１１を保持する鏡筒１１ａ、及びカメラレンズ１１に入射した可視光を、アナログ出力からデジタル出力に変換する各種電子部品（撮像素子）が設けられたものである。
このカメラ基板１２は、カメラホルダー蓋１３に押しつけられて、カメラユニット１内部に設けられている。すなわち、カメラ基板１２は、基板の背面がカメラホルダー蓋１３と接触し、基板の前面の縁がカメラホルダー８の背面と接触している。さらに、カメラ基板１２の鏡筒１１ａの先端は、第２透光板１０と接触するように、環状部８ｄの背面側に設けられている。これにより、カメラ基板１２は、カメラユニット１内部にて固定される。
【００３２】
第１透光板９は、カメラレンズ１１に塵や埃などが付着することを抑制するものである。第１透光板９は、凸設部８ａの前面（環状部８ｄの前側）に設けられ、前面側からカメラホルダー開口部８ｂを覆っている。なお、第１透光板９は、凸設部８ａに、たとえば接着剤などで取り付けられているとよい。また、第１透光板の色は、カメラレンズ１１に室内の可視光が入射するように、透明な色とするとよい。
【００３３】
第２透光板１０は、第１透光板９と同様に、カメラレンズ１１に塵や埃などが付着することを抑制するものである。第２透光板１０は、第１透光板９に対して所定の間隔Ｄを空けて、凸設部８ａの背面側（環状部８ｄの後側）に設けられている。すなわち、第２透光板１０は、背面側からカメラホルダー開口部８ｂを覆っている。この所定の間隔Ｄ、すなわち、第１透光板９、第２透光板１０及び環状部８ｄによって形成される空間は、閉じられた空間となっている。これにより、第１透光板９と第２透光板１０の間に空気層を設けることができ、室内とカメラレンズ１１との断熱効果が向上し、カメラレンズ１１にひずみが生じたり、カメラレンズ１１が結露したりすることを抑制することができる。なお、この空間は、完全に密閉はされていない。
【００３４】
第２透光板１０は、カメラホルダー蓋１３の作用によって押しつけられたカメラ基板１２の鏡筒１１ａの先端と、内部正面パネル６によって前側への動きが規制されたカメラホルダー８（凸設部８ａ）の環状部８ｄとによって挟み込まれて固定されている。このように、カメラユニット１のカメラレンズ１１は、２つの透光板９、１０によって保護されているので、レンズ表面に塵や埃などが付着してしまうことが抑制される。
【００３５】
第２透光板１０のうちカメラレンズ１１の対向位置以外の色は、前面意匠パネルユニット２と同色系の色を採用するとよい。すなわち、前面意匠パネルユニット２の色が白色である場合には、第２透光板１０を白色とするとよい。なお、第２透光板１０のうちカメラレンズ１１の対向位置以外とは、図７に図示される第２透光板１０の斜線部の領域Ｆをさす。また、第２透光板１０のうち、領域Ｆ以外については、カメラレンズ１１に室内の可視光が入射するように、透明な色とするとよい。このように、前面意匠パネルユニット２と、第２透光板１０の領域Ｆとを同色とすることにより、室内機１００の意匠性を向上させることができる。
また、第２透光板１０の領域Ｆの色は、カメラレンズ１１が室内機１００に搭載された状態における色である黒色を採用してもよい。このように、第２透光板１０の領域Ｆを黒色とすることで、第２開口部２７を介してカメラ基板１２が露出することを抑制し、室内機１００の意匠性を向上させることができる。
【００３６】
なお、第１透光板９及び第２透光板１０は、たとえばＰＥＴ（ポリエチレンテレフタレート）などで構成するとよい。
また、カメラユニット１には、２つの透光板９、１０が設けられた場合を例に説明しているが、その数に限定されるものではなく、たとえば３つ以上の透光板が設けられていてもよい。
さらに、仮に、第１透光板９に塵や埃などが付着した場合には、ユーザーが第１透光板９を布などで拭えばよい。ここで、カメラユニット１に２つの透光板９、１０が設けられていないと、カメラレンズ１１を直接布などで拭わなければならず、カメラレンズ１１に傷付けてしまう可能性がある。しかしながら、室内機１００は、２つの透光板９、１０が設けられているので、清掃時などにカメラレンズ１１を傷付けてしまうことを抑制することができる。
【００３７】
カメラホルダー蓋１３は、カメラホルダー８の開放部分を閉塞し、カメラユニット１の背面を構成するものである。また、カメラホルダー蓋１３は、カメラホルダー８と係合するための固定ツメ１３ｂを有している。さらに、カメラホルダー蓋１３の前面とカメラ基板１２の背面とは、カメラホルダー８と係合した状態において、押しつけ合うように接触している。これにより、カメラレンズ１１と第２透光板１０とが接触するとともに、カメラ基板１２の前側の縁とカメラホルダー８の背面とが接触し、カメラユニット１内部でカメラ基板１２が所定の位置で固定される。
【００３８】
カメラホルダー蓋１３の背面には、弾性部材１４が設けられる凹部１３ａが形成されている。なお、凹部１３ａは、カメラホルダー蓋１３の背面から前面に向かう方向に凹んでいる。
ここで、図５に図示される表示部ホルダー７には、カメラユニット１が取り付けられる部分に、凸部７ａが形成されている。カメラユニット１は、凹部１３ａが、この凸部７ａに挿入されるように、本体３に取り付けられる。
【００３９】
弾性部材１４は、カメラホルダー蓋１３の凹部１３ａと、内部正面パネル６との間に設けられるものである。なお、この弾性部材１４として、バネなどを採用した例を示している。
【００４０】
［カメラ基板１２の組み込み方法］
次に、カメラ基板１２のカメラホルダー８への組み込み方法を、図９及び図１０を参照して説明する。
【００４１】
第２透光板１０は、第２透光板１０の縁とカメラホルダー８の環状部８ｄとが接触するように取り付けられる（図１０（ａ）から図１０（ｂ）の状態）。
【００４２】
カメラ基板１２は、カメラレンズ１１と第２透光板１０とが接触するとともに、カメラ基板１２の前面の縁とカメラホルダー８の背面とが接触するように、カメラホルダー８に取り付けられる（図１０（ｂ）から図１０（ｃ）の状態）。
カメラホルダー蓋１３は、カメラホルダー蓋１３の前面とカメラ基板１２の背面とが接触するように、カメラホルダー８と係合する。
【００４３】
このようにして、カメラ基板１２は、カメラホルダー８及びカメラホルダー蓋１３に組み込まれる。なお、カメラ基板１２は、第２透光板１０、カメラホルダー８の背面、及びカメラホルダー蓋１３の前面と押しつけ合うように接触し、カメラユニット１内部で固定される。
【００４４】
［カメラユニット１の室内機１００に対する保持方法］
次に、図１１を参照して、カメラユニット１の室内機１００に対する保持方法について説明する。
カメラユニットホルダーでもある表示部ホルダー７に、カメラユニット１が取り付けられた状態においては、カメラホルダー蓋１３の凹部１３ａが、表示部ホルダー７の凸部７ａの形成位置に配置される。なお、凸部７ａと凹部１３ａとの間には、弾性部材１４が設けられる。この弾性部材１４により、凹部１３ａは前側に押される力が発生する。すなわち、カメラユニット１には、前側に押される力が発生する。
一方、カメラユニット１が表示部ホルダー７に取り付けられた状態においては、カメラホルダー８は、内部正面パネル６によって、所定位置より前側に行かないように（前側に移動しないように）動きが規制されている。すなわち、カメラユニット１は、内部正面パネル６によって、所定位置より前側に行かないように（前側に移動しないように）規制されている。
【００４５】
このように、カメラホルダー蓋１３が弾性部材１４により前側に押し出されると、それに対応してカメラホルダー８も前側に押し出される。そして、カメラホルダー８が所定位置までくると内部正面パネル６の作用によって、これ以上カメラホルダー８（カメラユニット１）が前側に行かないように（前側に移動しないように）規制される。これにより、カメラユニット１は、所定位置で固定されることになる。
【００４６】
なお、凸設部８ａは弾性部材１４により前側に押し出されることにより、下部意匠パネル２ｂに形成された第２開口部２７に押し当てられる。これにより、凸設部８ａと下部意匠パネル２ｂとの隙間が形成されることが抑制され、室内機１００の意匠性を向上させることができる。
【００４７】
また、カメラホルダー８とカメラホルダー蓋１３とは固定ツメ８ｃと固定ツメ１３ｂとが係合して固定されているが、カメラホルダー蓋１３がこの弾性部材１４により前側に押し出されると、その分、カメラホルダー８とカメラホルダー蓋１３との密着性が向上する。すなわち、カメラホルダー８とカメラホルダー蓋１３との密着性が向上することにより、カメラユニット１内部に塵や埃が侵入してしまうことが抑制され、カメラレンズ１１に埃が付着することが抑制される。
また、カメラホルダー蓋１３がこの弾性部材１４により前側に押し出されると、カメラホルダー蓋１３がカメラ基板１２の鏡筒１１ａを、第２透光板１０に押さえつける。すなわち、第２透光板１０は、鏡筒１１ａによって、凸設部８ａに押さえつけられ、確実に固定される。
さらに、カメラホルダー蓋１３がカメラ基板１２の鏡筒１１ａを、第２透光板１０に押さえつけることにより、仮にカメラユニット１内部に埃などが入ってしまっても、その埃などが、鏡筒１１ａ、第２透光板１０、及びカメラレンズ１１により形成される空間Ｘに侵入してしまうことが抑制される。すなわち、カメラレンズ１１に塵や埃などが付着することを抑制することができる。
【００４８】
［室内機１００の有する効果］
本実施の形態に係る室内機１００は、第１透光板９と第２透光板１０とが所定の間隔Ｄを空けて、カメラホルダー開口部８ｂを覆うように設けられている。このように、カメラユニット１のカメラレンズ１１は、２つの透光板９、１０によって保護されているので、レンズ表面に塵や埃などが付着してしまうことが抑制される。また、第１透光板９、第２透光板１０及び環状部８ｄによって形成された空間は、閉じられた空間となっているので、室内とカメラレンズ１１との断熱効果が向上し、カメラレンズ１１にひずみが生じたり、カメラレンズ１１が結露したりすることを抑制することができる。
【符号の説明】
【００４９】
１  カメラユニット、２  前面意匠パネルユニット、２ａ  上部意匠パネル、２ｂ  下部意匠パネル、３  本体、４  送風ファン、５  熱交換器、６  内部正面パネル、７  表示部ホルダー、７ａ  凸部、８  カメラホルダー、８ａ  凸設部、８ｂ  カメラホルダー開口部、８ｃ  固定ツメ、８ｄ  環状部、９  第１透光板、１０  第２透光板、１１  カメラレンズ、１１ａ  鏡筒、１２  カメラ基板、１３  カメラホルダー蓋、１３ａ  凹部、１３ｂ  固定ツメ、１４  弾性部材、２０  吸込口、２１  吹出口、２２  フラップ、２３  赤外線センサー、２４  表示装置ユニット、２５  風路、２６  第１開口部、２７  第２開口部、２８  ドレンパンユニット、２９  フィルター自動清掃ユニット、１００  室内機、Ｄ  所定の間隔、Ｘ  空間。
【図１】
0005709701.tif 000002
【図２】
0005709701.tif 000003
【図３】
0005709701.tif 000004
【図４】
0005709701.tif 000005
【図５】
0005709701.tif 000006
【図６】
0005709701.tif 000007
【図７】
0005709701.tif 000008
【図８】
0005709701.tif 000009
【図９】
0005709701.tif 000010
【図１０】
0005709701.tif 000011
【図１１】
0005709701.tif 000012